(57)【要約】      （修正有）【課題】通信ネットワークにおいて復調用参照信号を送信するためのユーザ機器における方法を提供する。【解決手段】方法は、復調用参照信号についての多重化情報を決定することと、別のユーザ機器の復調用参照信号と同じ時間割り当てにおいて多重化情報を使用して復調用参照信号を送信することと、上記の別のユーザ機器のデータシンボルの時間割り当てに対して、物理リソースの別個の時間割り当て及び同じ物理周波数リソースで、復調用参照信号に関連付けられたデータシンボルを送信することと、を含む。【選択図】図１１
2020074536.tif 000002
【特許請求の範囲】
【請求項１】
通信ネットワークにおいて復調用参照信号を送信するためのユーザ機器における方法であって、
前記復調用参照信号についての多重化情報を決定することと、
別のユーザ機器の復調用参照信号と同じ時間割り当てにおいて前記多重化情報を使用して前記復調用参照信号を送信することと、
前記別のユーザ機器のデータシンボルの時間割り当てに対して、物理リソースの別個の時間割り当てで、および同じ物理周波数リソースで、前記復調用参照信号に関連付けられたデータシンボルを送信することと、を含む、方法。
【請求項２】
前記データシンボルの別個の物理リソース割り当ては、別のユーザ機器に対する通信のサブフレーム、スロット、物理リソースブロック、物理リソースブロックペア、または、サブフレームのペアの別個の時間割り当てである、請求項１に記載の方法。
【請求項３】
前記ユーザ機器は、スロット、サブフレーム、または２つのサブフレームの周期において前記参照信号および前記データシンボルを送信し、前記参照信号は、前記スロット、サブフレーム、または２つのサブフレームで別のユーザ機器の参照信号と多重化され、前記ユーザ機器は、スロット、サブフレーム、または２つのサブフレームの前記周期の別個の時間割り当てでデータシンボルを送信する、請求項１または２に記載の方法。
【請求項４】
前記参照信号についての多重化情報を決定することは、前記別のユーザ機器からの１つまたは複数の参照信号によって前記参照信号をコード多重化するための情報を決定することを含む、請求項１から３のいずれか一項に記載の方法。
【請求項５】
前記別のユーザ機器からの前記１つまたは複数の参照信号とのコード多重化をもたらすように決定される巡回シフトによって前記参照信号を生成することを含む、請求項１から４のいずれか一項に記載の方法。
【請求項６】
前記別のユーザ機器からの前記１つまたは複数の参照信号との周波数多重化をもたらすために周波数間隔で前記参照信号を生成することを含む、請求項１から５のいずれか一項に記載の方法。
【請求項７】
前記データシンボルは、１サブフレーム未満および／または１ミリ秒未満である送信時間間隔（ＴＴＩ）内で送信される、請求項１から６のいずれか一項に記載の方法。
【請求項８】
前記データシンボルは、１、２、３、４、５、６、７、８、９、１０、１１、１２、または１３シンボルの送信時間間隔（ＴＴＩ）によって送信される、請求項１から７のいずれか一項に記載の方法。
【請求項９】
前記通信はＰＵＳＣＨ通信である、および／または前記データシンボルはＳＣ−ＦＤＭＡシンボルである、請求項１から８のいずれか一項に記載の方法。
【請求項１０】
前記ユーザ機器は、さらに別のユーザ機器とのマルチユーザＭｕｌｔｉｐｌｅ  Ｉｎ  Ｍｕｌｔｉｐｌｅ  Ｏｕｔ（ＭＵ−ＭＩＭＯ）通信の一部分として通信している、請求項１から９のいずれか一項に記載の方法。
【請求項１１】
前記ユーザ機器および前記別のユーザ機器の送信されたシンボルは、同じアンテナポートで受信されるようにスケジューリングされる、請求項１から１０のいずれか一項に記載の方法。
【請求項１２】
通信ネットワークにおいてユーザ機器と通信するための基地局における方法であって、
第１のユーザ機器から第１の参照信号を受信することと、
第２のユーザ機器から第２の参照信号を受信することと、を含み、
前記第１の参照信号および前記第２の参照信号は多重化され、
前記第１のユーザ機器から第１のデータシンボルを受信することと、
前記第２のユーザ機器から第２のデータシンボルを受信することと、を含み、
前記第１のユーザ機器および前記第２のユーザ機器からの前記データシンボルは、物理リソースの別個の時間割り当てで、および同じ物理周波数リソースで受信される、方法。
【請求項１３】
前記第１のユーザ機器および前記第２のユーザ機器にそれぞれ、前記第１の参照信号および前記第２の参照信号についての多重化情報でシグナリングすること、および／または、前記第１のユーザ機器および前記第２のユーザ機器に、データシンボル送信のための物理リソースの別個の時間割り当てに関する情報でシグナリングすることをさらに含む、請求項１２に記載の方法。
【請求項１４】
前記多重化情報は、コード多重情報および／または周波数多重化情報である、請求項１３に記載の方法。
【請求項１５】
前記第１の参照信号および前記第２の参照信号、ならびに前記第１のデータシンボルおよび前記第２のデータシンボルは、単一のスロット、物理リソースブロック、サブフレーム、物理リソースブロックペアで、または、隣接するサブフレームもしくは物理リソースブロックペアで受信される、請求項１２から１４のいずれか一項に記載の方法。
【請求項１６】
通信ネットワークにおいて復調用参照信号を送信するように構成されるユーザ機器であって、
前記復調用参照信号についての多重化情報を決定するように構成される処理回路と、
別のユーザ機器の復調用参照信号と同じ時間割り当てにおいて前記多重化情報を使用して前記復調用参照信号を送信するように構成される無線回路と、を備え、
前記無線回路は、前記別のユーザ機器のデータシンボルの時間割り当てに対して、物理リソースの別個の時間割り当てで、および同じ物理周波数リソースで、前記復調用参照信号に関連付けられたデータシンボルを送信するように構成される、ユーザ機器。
【請求項１７】
前記ユーザ機器は、前記別のユーザ機器の前記復調用参照信号によって復調用参照信号をコード多重化するおよび／または周波数多重化するように構成される、請求項１６に記載のユーザ機器。
【請求項１８】
通信ネットワークにおいてユーザ機器と通信するように構成される基地局であって、
第１のユーザ機器からの第１の参照信号、および第２のユーザ機器からの第２の参照信号を受信するように構成される無線回路を備え、
前記第１の参照信号および前記第２の参照信号は多重化され、
無線回路は、前記第１のユーザ機器から第１のデータシンボルを受信するように、および前記第２のユーザ機器から第２のデータシンボルを受信するように構成され、
前記第１のユーザ機器および前記第２のユーザ機器からの前記データシンボルは、物理リソースの別個の時間割り当て、および同じ物理周波数リソースにおけるものである、基地局。
【請求項１９】
前記第１の参照信号および前記第２の参照信号についての多重化情報を決定するように、および／または前記第１のユーザ機器および前記第２のユーザ機器によってデータシンボル送信のための物理リソースの別個の時間割り当てを決定するように構成される処理回路を備え、前記無線回路は、かかる多重化情報、および／または前記第１のユーザ機器および前記第２のユーザ機器に対する前記別個の時間割り当てに関する情報を送信するように構成される、請求項１６に記載の基地局。
【請求項２０】
コンピュータ上で作動する時、請求項１から１４のいずれか一項に記載の方法を実行するように構成される、コンピュータプログラム製品。
【発明の詳細な説明】
【技術分野】
【０００１】
本願は、一般的に、通信ネットワークにおける参照信号およびデータを送信することおよび受信することに関する。
【背景技術】
【０００２】
パケットデータレイテンシは、ベンダ、オペレータ、およびさらにエンドユーザが規則的に計測するパフォーマンスメトリクスのうちの１つである。レイテンシ計測は、例えば、新しいソフトウェアリリースまたはシステムコンポーネントを検証する時、システムを展開する時、および、システムが商業ベースで動作している時、無線アクセスネットワークシステム寿命の全ての段階において行われる。
【０００３】
無線リソース効率は、レイテンシの低減によって良い影響を与える可能性がある。パケットデータレイテンシが低くなることによって、ある特定の遅延限界内で可能な送信回数が増加する。それ故に、より高いブロック誤り率（ＢＬＥＲ）目標は、データ送信、無線リソースの解放、および、場合によってはシステムの容量の改善に使用される可能性がある。
【０００４】
さらに、Ｌｏｎｇ  Ｔｅｒｍ  Ｅｖｏｌｕｔｉｏｎ（ＬＴＥ）におけるリソース割り当ては、典型的には、リソースブロックの観点から説明され、この場合、リソースブロックは、時間領域では１スロット（０．５ｍｓ）、および周波数域では１２サブキャリアに相当する。リソースブロックは、周波数領域で、システム帯域幅の一端から、０から始まる番号が付される。
【０００５】
ＬＴＥは、無線アクセスネットワーク制御およびスケジューリングに基づく無線アクセス技術である。データの送信が、より低いレイヤ制御シグナリングのラウンドトリップを必要とするため、これらの事実はレイテンシパフォーマンスに影響を与える。
【０００６】
データはより高いレイヤによって作成され、ユーザ機器（ＵＥ）モデムは、スケジューリング要求（ＳＲ）をエボルブドＮｏｄｅＢ（ｅＮＢ）に送る必要がある。ｅＮＢはこのＳＲを処理し、かつグラントによって応答するため、アップリングデータ転送は開始できる。
【０００７】
図１は、第１のサブフレーム１０ａおよび第２のサブフレーム１０ｂと標示される、２つの物理アップリンク共有チャネル（ＰＵＳＣＨ）サブフレーム１０内のユーザデータシンボルおよび参照信号をマッピングするＬＴＥリリース８の一例を示す。サブフレーム１０は時間／周波数構造におけるものである。それぞれの行１１は（例えば１５ｋＨｚで分けられる）異なる周波数のサブキャリアに相当し、それぞれの列１２は異なる時間または基本時間単位１２でのシンボル区間に相当する。リソースエレメント１３は１シンボルの間に１サブキャリアから成る。それぞれのサブフレーム１０ａ、１０ｂは、０〜１３と標示される、（通常の長さのサイクリックプレフィックスに対して）時間的に１４シンボルを含む。サブフレーム１０ａ、１０ｂはそれぞれ、それぞれが７シンボルのスロット２つ、および周波数の複数のサブキャリアで組織化される。リソースブロック（または物理リソースブロック）は、時間で１スロット、および周波数で１８０ｋＨｚ（例えば１２サブキャリア）として定められる。リソースブロックペアまたは物理リソースブロックペアは、２つのかかるリソースブロックに言及するために使用されてよい。サブフレームへの言及は、代替的には、リソースブロックペアまたは物理リソースブロックペアと称される場合がある。例えば、物理リソースブロックは限定された周波数域（例えば、１２サブキャリア１セット）を有する。１つのＵＥのみに対するデータは物理リソースブロックペアで送られる。
【０００８】
３ＧＰＰ  ＴＳ  ３６．２１１で定められるように、ＬＴＥリリース８では、ＰＵＳＣＨサブフレームにおける参照信号は、１スロットごとに一度送信され、図１に示されるようにそれぞれのスロットの中央に位置する。リソースエレメントグリッド内の数は、移送ブロックが送信される例示の送信時間間隔（ＴＴＩ）に言及する。それぞれの欄は、シンボルを送信するために使用されるリソースエレメントを指示する。図１の下部分の数は、この例ではＬＴＥリリース８サブフレーム内の、アップリングシンボルのインデックスを示す。
【０００９】
参照信号「Ｒ」１６は、サブフレーム内の、ＳＣ−ＦＤＭＡシンボル番号３およびシンボル番号１０に挿入される。第１のサブフレーム１０ａでは、データシンボルは、参照シンボルを除いて全てのシンボルで送信される。
【００１０】
第１のサブフレーム１０ａは第１のＵＥによって送信され、データシンボル１３は対応して「１」で標示される。第２のサブフレーム１０ｂはセルの第２のＵＥによって送信され、データシンボル１３は対応して「２」で標示される。第１のサブフレーム１０ａにおける参照信号Ｒ１６は第１のＵＥによって送信され、第２のサブフレーム１０ｂにおける参照信号Ｒ１６は第２のＵＥによって送信される。第１のサブフレーム１０ａにおいて送信された参照信号は、第１のサブフレーム１０ａのデータシンボル１３のチャネル推定に対して使用されてよく、第２のサブフレーム１０ｂにおいて送信された参照信号は、第２のサブフレーム１０ｂのデータシンボル１３のチャネル推定に対して使用されてよい。
【００１１】
ＬＴＥアップリンクにおいて使用されるような単一キャリアフォーマットについて、それぞれの信号は、多数のリソースエレメントに広がり、単一リソースエレメントに位置しない。これは、ＬＴＥダウンリンクにおいて使用される直交周波数分割多重（ＯＦＤＭ）とは対照的である。
【００１２】
ＬＴＥ内のワイヤレスアクセスは、例えば、３ＧＰＰ  ＴＳ  ３６．２１１、「Ｐｈｙｓｉｃａｌ  Ｃｈａｎｎｅｌｓ  ａｎｄ  Ｍｏｄｕｌａｔｉｏｎ」技術仕様、第３世代パートナーシッププロジェクト、仕様グループ無線アクセスネットワーク、拡張ユニバーサル地上無線アクセス（Ｅ−ＵＴＲＡ）、Ｖ１２．５．０に記載されるように、ダウンリンクにおけるＯＦＤＭ、およびアップリンクにおける単一キャリア周波数分割多元接続ＦＤＭＡ（ＳＣ−ＦＤＭＡ）とも称されるＤＦＴ拡散ＯＦＤＭに基づく。アップリンクで送信される信号は、ＤＦＴによってプリコード化され、割り当てられる周波数間隔にマッピングされ、時間領域に変換され、サイクリックプレフィックスと連結され、最終的にエア上で送信される。ＤＦＴ、マッピング、ＩＦＦＴ、およびＣＰ挿入によって構築されたシンボルは、ＳＣ−ＦＤＭＡシンボルとして示される。ＬＴＥリリース８内で、図１に示されるように、ＴＴＩは、通常のサイクリックプレフィックスに対して１４のかかるＳＣ−ＦＤＭＡシンボルによって構築される。
【００１３】
アップリンクで使用されるようなこのＤＦＴ拡散ＯＦＤＭは、ＯＦＤＭと比較してピーク対平均電力比（ＰＡＰＲ）が大幅に低い。ＰＡＰＲが低いことによって、送信側にはより簡易でかつより少ないエネルギー消費の無線機器を装備でき、これは、費用およびバッテリ消費が重要課題であるユーザデバイスにとって重要である。
【００１４】
参照信号は、ユーザデータが送信されないオーバーヘッドを表す。ユーザデータ送信の増加は、データ転送率を増大させるのに有利である。レイテンシの低減も有利である。
【発明の概要】
【００１５】
本開示の第１の態様は、通信ネットワークにおいて復調用参照信号を送信するためのユーザ機器における方法を提供する。方法は、復調用参照信号についての多重化情報を決定することと、別のユーザ機器の復調用参照信号と同じ時間割り当てにおいて多重化情報を使用して復調用参照信号を送信することとを含む。方法は、上記の別のユーザ機器のデータシンボルの時間割り当てに対して、物理リソースの別個の時間割り当てで、および同じ物理周波数リソースで、復調用参照信号に関連付けられたデータシンボルを送信することをさらに含む。
【００１６】
よって、参照信号によって表されるオーバーヘッドは低減される。これは、ユーザデータのＴＴＩが、例えば、時間長で１サブフレーム未満または１スロット未満まで低減される時、とりわけ有利である。
【００１７】
本開示の第２の態様は、通信ネットワークにおいてユーザ機器と通信するための基地局における方法を提供する。方法は、第１のユーザ機器から第１の参照信号を受信することと、第２のユーザ機器から第２の参照信号を受信することとを含む。第１の参照信号および第２の参照信号は多重化される。方法は、第１のユーザ機器から第１のデータシンボルを受信することと、第２のユーザ機器から第２のデータシンボルを受信することとをさらに含む。第１のユーザ機器および第２のユーザ機器からのデータシンボルは、物理リソースの別個の時間割り当てで、および同じ物理周波数リソースで受信される。
【００１８】
本開示の第３の態様は、通信ネットワークにおいて復調用参照信号を送信するように構成されるユーザ機器を提供する。ユーザ機器は、復調用参照信号についての多重化情報を決定するように構成される処理回路と、別のユーザ機器の復調用参照信号と同じ時間割り当てにおいて多重化情報を使用して復調用参照信号を送信するように構成される無線回路とを備える。無線回路は、上記の別のユーザ機器のデータシンボルの時間割り当てに対して、物理リソースの別個の時間割り当てで、および同じ物理周波数リソースで、復調用参照信号に関連付けられたデータシンボルを送信するように構成される。
【００１９】
本開示の第４の態様は、通信ネットワークにおいてユーザ機器と通信するように構成される基地局を提供する。方法は、第１のユーザ機器からの第１の参照信号、および第２のユーザ機器からの第２の参照信号を受信するように構成された無線回路を含む。第１の参照信号および第２の参照信号は多重化される。無線回路は、第１のユーザ機器から第１のデータシンボルを受信するように、および第２のユーザ機器から第２のデータシンボルを受信するように構成される。第１のユーザ機器および第２のユーザ機器からのデータシンボルは、物理リソースの別個の時間割り当て、および同じ物理周波数リソースにおけるものである。
【００２０】
本開示の第５の態様は、コンピュータ上で作動する時に、説明されるような方法を実行するように構成されるコンピュータプログラム製品を提供する。
【００２１】
本開示の実施形態は、添付の図面を参照して単に例としてここで説明される。
【図面の簡単な説明】
【００２２】
【図１】送信のサブフレームへの参照信号およびデータの割り当ての先行技術を示す図である。
【図２】本開示の例によるネットワークの例を示す図である。
【図３】本開示の一態様による、送信のサブフレームへの参照信号およびデータシンボルの割り当ての例を示す図である。
【図４】本開示の一態様による、送信のサブフレームへの参照信号およびデータシンボルの割り当てのさらなる例を示す図である。
【図５】本開示の一態様による、送信のサブフレームへの参照信号およびデータシンボルの割り当てのさらなる例を示す図である。
【図６】本開示の一態様による、送信のサブフレームへの参照信号およびデータシンボルの割り当てのさらなる例を示す図である。
【図７】本開示の一態様による、送信のサブフレームへの参照信号およびデータシンボルの割り当てのさらなる例を示す図である。
【図８】本開示の一態様による、送信のサブフレームへの参照信号およびデータシンボルの割り当てのさらなる例を示す図である。
【図９】本開示の例による基地局の図式的概観を示す図である。
【図１０】本開示の例によるユーザ機器の図式的概観を示す図である。
【図１１】本開示の例によるユーザ機器における方法の例を示す図である。
【図１２】本開示の例による基地局における方法の例を示す図である。
【発明を実施するための形態】
【００２３】
本開示の例は、いくつかの送信側からのまたは該送信側への参照信号を同じシンボルに多重化することに関するが、異なる送信側からのまたは該送信側へのユーザデータは別個のシンボルで送信される。シンボルは、例えば、複数のＵＥからのアップリンクにおけるＳＣ−ＦＤＭＡシンボルであってよい。
【００２４】
リソース割り当てにおけるオーバーヘッドの量は、複数のＵＥからの（またはへの）参照信号を同じシンボルに多重化することによって大幅に低減される。その一方で、１つのＵＥからのユーザデータは、それぞれのＵＥがユーザデータに対する専用のシンボル（例えば、ＳＣ−ＦＤＭＡシンボル）を有するために、他のＵＥからの干渉を受けない。（例えばアップリンク）送信の単一キャリアプロパティは保存されてよく、これはデバイスの費用および電力消費に良い影響を与える。
【００２５】
図２は、通信ネットワーク１００の例を示し、この実施形態は、参照信号、例えば復調用参照信号（ＤＭＲＳ）の送信またはシグナリング情報に関する。いくつかの例では、参照信号の送信は、セルにおける複数のＵＥからの送信の多重送信方式である。通信ネットワーク１００は、例えば、ＬＴＥ、ＬＴＥ−Ａｄｖａｎｃｅｄ、ＷＣＤＭＡ、ＧＳＭ、または、任意の３ＧＰＰもしくは他の無線アクセス技術などの１つまたは複数の無線アクセス技術に適用可能である。
【００２６】
通信ネットワーク１００は、例えば、セル１０１をサーブする基地局１０３などのネットワークノードを含む。基地局１０３は、無線基地局、ＮｏｄｅＢ、例えば使用される技術および専門用語によってはｅＮＢ、または、セル１０１に存在する第１のユーザ機器１０５と無線キャリア１０２上で通信することが可能である任意の他のネットワークユニットなどの基地局であってよい。無線キャリア１０２は、キャリア、無線チャネル、チャネル、通信リンク、無線リンク、またはリンクと称される場合もある。基地局１０３は、種々のクラス、例えばｅＮｏｄｅＢなどの例えばマクロ基地局、または、送信電力、ひいてはまたセルサイズにも基づく、例えば、ホームｅＮｏｄｅＢ、ピコ基地局、またはフェムト基地局などの低電力基地局のものであってよい。図２が１つのセル１０１をサーブする基地局１０３を示しても、基地局１０３は２つ以上のセル１０１をサーブできる。通信ネットワーク１００は、別の１つまたは複数のユーザ機器、例えば、第２のユーザ機器１０７および第３のユーザ機器１０９をさらに含むことができる。いくつかの実施形態では、第２のユーザ機器１０７および第２のユーザ機器１０９は、第１のユーザ機器１０５と同じセル１０１に存在し、かつ、同じ基地局１０３によってサーブされる。
【００２７】
通信ネットワーク１００は、例えばセル１０１などのセルに区分されてよい。よって、通信ネットワーク１００はセルラー通信ネットワークと称される場合がある。セルは、セル１０１をサーブする基地局１０３がセル１０１に存在するユーザ機器１０５に無線カバレッジを提供する地理的地域である。セル１０１は、例えば、典型的には限定された地域をカバーするミクロセル、典型的には小さい地域をカバーするピコセル、典型的にはホームビジネスまたは小ビジネスにおける使用に対して設計されるフェムトセル、または、典型的にはミクロセルより広いカバレッジを提供するマクロセルなどの異なるサイズのものであってよい。
【００２８】
セル１０１内に存在し、かつ基地局１０３によってサーブされるユーザ機器１０５は、この場合、無線キャリア１０２上で基地局１０３と通信可能である。データストリームは、レイヤアプローチにおいて無線チャネル１０２上で基地局１０３とユーザ機器１０５との間で通信される。レイヤの例には、物理レイヤ、データリンクレイヤ、ネットワークレイヤ、移送レイヤ、セッションレイヤなどがある。
【００２９】
ユーザ機器１０５は、無線チャネル１０２上で基地局１０３と通信することができる通信機能を有する任意の適した通信デバイスまたは計算デバイス、例えば、限定はされないが、携帯電話、スマートフォン、携帯情報端末（ＰＤＡ）、ラップトップ、ＭＰ３プレイヤーもしくはポータブルＤＶＤプレイヤー（もしくは同様のメディアコンテンツデバイス）、デジタルカメラ、またはさらには、ＰＣなどの据え置き型デバイスであってよい。ＰＣは、ブロードキャスト／マルチキャストメディアの終端局として移動局を介して接続されてもよい。ユーザ機器１０５は、例えば、電子フォトフレーム、心臓監視機器、侵入監視機器もしくは他の監視機器、気象データモニタリングシステム、車両、自動車もしくは移送通信機器などにおいて組み込まれた通信デバイスであってもよい。ユーザ機器１０５は、図面のいくつかにおいてＵＥと称される。基地局１０３は、複数のユーザ機器１０５、１０７、１０９のセットをサーブすることができる。ＵＥは、代替的には、エンドデバイス、端末デバイス、ユーザ、または端末と称される場合がある。
【００３０】
基地局１０３とユーザ機器１０５との間の無線キャリア１０２は、ワイヤードリンクまたはワイヤレスリンクのどちらかを含む任意の適した種類のものであってよいことに留意されたい。キャリア１０２は、当業者によって理解されるように、例えば、オープンシステム相互接続（ＯＳＩ）モデルによって指示されるような、レイヤのタイプおよびレベルに左右される任意の適したプロトコルを使用することができる。
【００３１】
下記の説明では、例としてＬＴＥネットワークのアップリンク（ＵＬ）伝送パスを使用するが、例には、例えば上述されるような、ダウンリンク（ＤＬ）および／または他の通信プロトコルに適用可能である。ＵＬはユーザ機器から基地局までのリンクであり、ＤＬは基地局からユーザ機器までのリンクである。
【００３２】
図３は、複数のＵＥに対してスケジューリングされた物理送信リソースのサブフレーム３０の例を示す。サブフレーム３０は、別段記載されている場合を除いて、上述されるようなＬＴＥリリース８に相当する。シンボル１３は、ユーザデータまたは参照信号、およびいくつかの例では、制御データに相当する。サブフレームという用語は、物理リソースブロックペアの時間周期を指示するために使用される場合がある。代替的には、サブフレームは、サブフレーム時間周期、および定められた周波数域（例えば、１２のサブキャリアの１つまたは複数の倍数）、あるいは、１つまたは複数の物理リソースブロックもしくは物理リソースブロックペアを指示するために使用されてよい。
【００３３】
エアインターフェース上で送信される情報はペイロードと称される。サブフレーム（例えばＰＵＳＣＨサブフレーム）は、ペイロードに加えて、移送フォーマットインジケータおよびＭＩＭＯパラメータなどのペイロードを復号するために必要ないずれの制御情報も伝えることができる。このような制御データはＤＦＴ拡散の前にペイロードと多重化される。ペイロードおよび制御データは、両方共、参照信号とは異なるようなユーザデータまたはデータと称される場合がある。
【００３４】
図３に示される例では、それぞれのＵＥに対するスケジューリングは、１サブフレーム未満、例えばサブフレーム３０ａまたは３０ｂに基づく。この場合、ＵＥは、１４のシンボルまたは１ｍｓの時間未満のリソースでスケジューリングされる。この例では、第１のサブフレーム３０ａは、２つのＵＥ、例えば、第１のＵＥ１０５および第２のＵＥ１０７に指定される。これは、１ｍｓのサブフレームが１つのＵＥのみに指定される従来のスケジューリングとは対照的である。第１の割り当て３２ａは時間的に７シンボルを含み、第２の割り当て３２ｂはまた時間的に７シンボルを含む。この例では、割り当て３２ａおよび３２ｂは１つのリソースブロックの長さに相当するが例はこれに限定されない。
【００３５】
いくつかの例では、スケジューリングされたリソースはアップリンクにおけるものである。例えば、リソースは、サブフレーム、物理リソースブロック、または物理リソースブロックペアにおけるＰＵＳＣＨアサインに関する。シンボルはＳＣ−ＦＤＭＡシンボルである。そのため、ＰＵＳＣＨアサインは１ｍｓのサブフレームにおける全てのＳＣ−ＦＤＭＡシンボルをカバーしない。いくつかの態様では、周波数リソース割り当ては、従来から既知であるようなものであり、例えば、リソースブロックは１２のサブキャリアを有する。本開示の態様は、物理アップリンク制御チャネル（ＰＵＣＣＨ）における送信にも適用可能である。
【００３６】
割り当て３２ａ、３２ｂはそれぞれ異なるＵＥに対する送信時間間隔（ＴＴＩ）である。第１の割り当て３２ａのシンボルにおける数字「１」は第１のＵＥに対するデータシンボルを表し、第２の割り当て３２ｂのシンボルにおける数字「２」は第２のＵＥに対するデータ（例えばユーザデータ）シンボルを表す。この例では、データ（例えばユーザデータ）の６のＳＣ−ＦＤＭＡシンボルは同じＴＴＩに含まれる。
【００３７】
サブフレーム３０は、１つまたは複数の参照信号３６、例えば、上述される参照信号に相当するＤＭ−ＲＳを含む。
【００３８】
図３は、データシンボルまたは参照シンボルを指示するために標示される８のサブキャリア（すなわち、行）を示す。表示される行の数は、単に本開示の原理を示すだけであり、いずれの例も８のサブキャリアに限定しない。例えば、１２のサブキャリア（行）、またはこの倍数はいずれの例でも使用されてよい。
【００３９】
ＵＥによって送信される参照信号は、アップリンク方向にあり、基地局（例えばｅＮｏｄｅＢ）によって使用されて、ユーザデータの復調および復号において使用するためにチャネルを推定する、タイミング誤りおよび周波数誤りを推定する、および／またはアップリンクチャネル品質を推定する。ｅＮｏｄｅＢは、例えば、タイミングアラインメント手順の一部分としてのアップリンク周波数選択スケジューリングまたはアップリンクタイミング推定のために、サウンディング参照信号（ＳＲＳ）を別個に使用することができる。
【００４０】
この例では、第１の割り当て３２ａにおけるデータシンボルを送信する第１のＵＥはまた、第１の割り当て３２ａにおける（すなわち、シンボル３における）参照信号３６を送信する。この例では、第１のＵＥはさらに、そのデータシンボルの割り当ての時間外でさらなる参照シンボルを送信する。この場合、第１のＵＥは、第２の割り当て３２ｂにおける、すなわち、第１のサブフレーム３０ａのシンボル１０における、参照信号を送信する。データシンボルの時間外は、別のユーザ、または、ユーザデータに対するＵＥの割り当て済みリソースと時間的に連続していない、異なるリソースブロック、サブフレーム、もしくはシンボルへの割り当ての時間に言及する場合がある。これによって、ＵＥは、このデータシンボルの割り当ての時間外である無線チャネルの時間変化に従うことができる。この状況では、参照信号３６は、第１の割り当て３２ａの中央位置に、および第２の割り当て３２ｂの中央位置にある。
【００４１】
セル１０１によってサーブされる複数のＵＥはまた、データシンボルのそれらの割り当ての時間外のさらなる参照シンボルを送信するように構成される。例えば、第２のＵＥ１０７は、シンボル７、８、９、１１、１２、および１３の第２の割り当て３２ｂがスケジューリングされ、かつ、その第２の割り当て３２ｂ内に、すなわち、シンボル１０で挿入された参照信号３６を送信する。第２のＵＥ１０７はまた、その第２の割り当て３２ｂ外の別の参照シンボルで参照信号を送信することができる。この場合、さらなる参照シンボルは、第１の割り当て３２ａ、すなわち、サブフレームの最初の７シンボル、例えば、シンボル３で送信される。
【００４２】
よって、第１のＵＥは、第１の割り当て３２ａにおけるデータ、すなわち、シンボル０、１、２、４、５および６における６のデータシンボルを送信する。さらに、第１のＵＥは、シンボル３における、すなわち、シンボル３に相当するリソースエレメントにおける参照シンボルを送信する。いくつかの例では、第１のＵＥはまた、異なるＵＥのデータシンボル割り当て内のまたはこれに隣接する、例えば、シンボル１０における参照シンボル３６を送信する。この例では、サブフレーム３０ａは、複数のＵＥ、例えば、第１のＵＥおよび第２のＵＥに対するデータ割り当てを含む。それぞれのＵＥは、全体のサブフレームに対するデータ割り当てを有することに相当する時間間隔で参照信号を送信できる。そのため、それぞれのＵＥに対する参照信号は、データ割り当て（およびＴＴＩ）がそれぞれのＵＥに対するサブフレームの一部分のみであっても、サブフレームにおける従来の周期性で送信される。
【００４３】
この例では、第１のＵＥおよび第２のＵＥは両方共、同じシンボルで、すなわち、同じリソースエレメントで参照信号３６を送信する。そのため、第１のＵＥおよび第２のＵＥはアップリンク物理リソースを共有する。共有されるリソースは時間／周波数リソースである。第１のＵＥおよび第２のＵＥは、１つまたは複数の参照信号を独立して送信する。第１のＵＥおよび第２のＵＥは、同じ時間で（および、この例では周波数の同じサブキャリアで）１つまたは複数の参照シンボルを送信する。
【００４４】
第１のＵＥおよび第２のＵＥの参照シンボル３６は多重化される。該多重化によって、参照シンボルを受信するｅＮｏｄｅＢは第１のＵＥおよび第２のＵＥからの参照シンボルを区別することが可能になる。例えば、それぞれのＵＥは、参照信号を生成しかつ送信して、他のＵＥ（例えば第２のＵＥ）からの参照信号と多重化するように構成される。いくつかの例では、参照信号はコード多重によって多重化される。例えば、第１のＵＥは、巡回シフトによって参照信号を生成しかつ送信するように構成される。巡回シフトは、例えば、この参照信号を、種々の巡回シフトを使用して他のＵＥからの参照信号と直交させることによって、他の参照信号との多重化をもたらす。いくつかの例では、参照信号は、多重化をもたらすために、直交カバーコード（ＯＣＣ）を使用して生成される。
【００４５】
巡回シフト（およびＯＣＣ）によって、複数のＵＥからのそれぞれの参照信号は互いに直交している。いくつかの例では、セルにおけるＵＥのそれぞれからの参照信号は、（例えば、セルＩＤから導出される）同じ基本シーケンスに基づく。いくつかの例では、多重化された参照信号は、同じセルで、すなわち、同じ基地局に送信される。
【００４６】
第２の割り当て３２ｂは、第１の割り当て３２ａと別個のものと見なされてよい。そのため、第１の割り当て３２ａおよび第２の割り当て３２ｂは、データシンボルに対する物理リソースの別個の時間割り当てである。第１のＵＥの割り当て３２ａは（例えば第２の）ＵＥの別の割り当て３２ｂのものと別個である。この場合、別個のＵＥから送信されるデータシンボルの間の時間の重複はない。ＵＥは、同じサブキャリアでありながらも異なる時間リソースを使用してよい。いくつかの態様では、同じ周波数リソースのみが第１のＵＥおよび第２のＵＥによって、すなわち、第１の割り当て３２ａおよび第２の割り当て３２ｂにおいて使用される。そのため、第１のＵＥは、第２のＵＥと同じ時間にリソースの異なる周波数割り当てが与えられない。
【００４７】
データシンボルに対する別個の時間物理リソース割り当ては、多重化された参照信号とは対照的である。ＵＥおよび別のＵＥからの参照信号は同じ時間割り当てを有する。例えば、同じ時間割り当ては同じシンボルである。例えば、同じシンボルは、スロット、サブフレーム、リソースブロック、またはリソースブロックペア内の同じシンボルまたはシンボル周期である。同じ時間割り当ては、０〜１３で番号付されたシンボルを含むサブフレームのシンボル３および１０であってよい。いくつかの例では、参照信号は、１つまたは複数の時間割り当てで複数のサブキャリア（周波数域）において送信される。よって、参照信号は、共通の時間割り当て（シンボル）において多重化されるのに対し、データシンボルは時間割り当てにおいて別個である。
【００４８】
この場合、第１のＵＥデータシンボルおよび第２のＵＥデータシンボルは、サブフレーム時間周期内で、および同じ周波数リソースにおいて送信される。その時間周期内で、および同じ周波数リソースにおいて、第１のＵＥおよび第２のＵＥ両方に対する参照信号が送信される。第１のＵＥおよび第２のＵＥ両方に対する参照信号は、例えばコード多重を使用して、同じ時間で（すなわち、同じシンボルで）送信される。
【００４９】
いくつかの例では、それぞれのＵＥ割り当て３２ａ、３２ｂは、ユーザデータ、および１つまたは複数の関連の参照シンボルに使用される。この例では、複数のＵＥのそれぞれは、１ｍｓの周期での、すなわち、ＬＴＥリリース８のサブフレームに対応する２つの参照シンボルを使用する。特定のＵＥ割り当て３２ａ、３２ｂのＴＴＩは、サブフレーム周期（１ｍｓ）より時間が短い。１つまたは複数のさらなるＵＥは、１ｍｓの時間周期における割り当て（例えば、第２の割り当て３２ｂ）がスケジューリングされる。１ｍｓの時間周期でのデータ割り当てを有するＵＥによって送信される参照シンボル３６は多重化される。よって、第１のＵＥは、サブフレームにおける同じ数の参照信号シンボルを送信するが、データシンボル（またはＴＴＩ）の数は、第２のＵＥに対するデータ割り当てを提供するために低減される。
【００５０】
いくつかの態様では、信号はアップリンク信号である、および／またはＳＣ−ＦＤＭＡを利用する。この例では、特定のＵＥに対するＰＵＳＣＨアサインが１ｍｓのサブフレームにおいて全てのＳＣ−ＦＤＭＡシンボルをカバーしないため、レイテンシは改善される。ＴＴＩにおける低減された時間長（すなわち、低減されたシンボル数）によってレイテンシは改善される。
【００５１】
複数のＵＥは、複数のＵＥの別のＵＥと共有されない時間／周波数リソースの別個のデータ割り当てが割り当てられる。とりわけ、別個のデータ割り当ては、１つまたは複数のさらなるＵＥと別個である物理リソースの時間割り当てである。いくつかの例では、１つまたは複数のさらなるＵＥは、同じ周波数リソースのみを使用する。別個の時間割り当ては、別のＵＥの時間割り当てと時間的に重複しない。別個の時間割り当ては、２つ以上のＵＥに対するデータの別個のスケジューリングと見なされてよい。時間割り当ては、ＵＥに対して送信がスケジューリングされる（およびそのため可能となる）時間に言及し、時間割り当てにおいてＵＥが実際に送信するデータシンボルはどのくらいかには言及しない。いくつかの態様では、時間割り当ては、シンボル周期、シンボル時間周期、またスケジューリング周期に言及する場合がある。
【００５２】
１つまたは複数のさらなるＵＥは、後述されるように、例えばＭＵ−ＭＩＭＯを使用して空間多重化されてよい。本開示の態様は、さらなるＵＥとのいずれの空間多重化にも関係なく、互いに空間多重化されない複数のＵＥのセットに関する。空間多重化されたＵＥは、物理リソースブロックまたは物理リソースブロックペアにおいて多重化される複数のＵＥと同じ時間／周波数物理リソースを共有することができる。それにもかかわらず、かかる空間多重化されたＵＥは、データシンボルが物理リソースの別個の時間割り当てで送信される別のＵＥ、または、参照信号が多重化される別のＵＥとは称されない。かかる特徴は、空間多重化されないＵＥのセットにおける別のＵＥに該当する。
【００５３】
本開示の例は、同じアンテナポートにおいて受信されるようにスケジューリングされるデータ割り当てに適用可能である。よって、ユーザ機器および上記の別のユーザ機器の送信されたシンボルは、同じアンテナポートにおいて受信されるようにスケジューリングされるまたは構成される。かかるデータ割り当ては、互いに空間多重化されない（すなわち、別個の時間および周波数リソースがスケジューリングされる）が、なおさらなるＵＥのデータ割り当てで空間多重化されてよい。
【００５４】
多重化された参照信号、およびデータシンボルの別個の時間割り当てを有する第１のＵＥおよび第２のＵＥは周波数多重化されない、すなわち、第１のＵＥおよび第２のＵＥは同じ物理周波数リソースを共有する。同じ物理周波数リソースは、リソースブロック周波数域の周波数域（例えば、１２のサブキャリア）、複数のリソースブロックの周波数域、または、他の無線周波数域と呼んでもよい。ＵＥのデータシンボルは、別のＵＥのデータシンボルと同じ物理周波数リソースで送信される。いくつかの態様では、第１のＵＥのデータシンボルに割り当てられた周波数域は、第２のＵＥのデータシンボルに割り当てられた周波数域と同じである（または重複する）。多重化された復調用参照信号は、同じ周波数域において第１のＵＥおよび第２のＵＥによって送信される。
【００５５】
図４では、サブフレーム４０は、示されるように配置される複数のＵＥからの送信によって構築される。この例では、第１のＵＥの第１のデータ割り当て４２ａは３つのシンボル（例えば、ＳＣ−ＦＤＭＡシンボル）を有する。第１の割り当て４２ａにおけるデータはＴＴＩを定める。この低減したＴＴＩ（データ割り当て）によってレイテンシが低減し、より多くのＵＥがサブフレームに時間多重化可能となる。
【００５６】
この例では、４つのＵＥは、サブフレームにおける、および同じ周波数リソースにおけるデータを送信する。例えば、サブフレーム４０ａにおいて、４つのＵＥは、それぞれ、「１」、「２」、「３」、および「４」と標示される、第１のデータ割り当て４２ａ、第２のデータ割り当て４２ｂ、第３のデータ割り当て４２ｃ、および第４のデータ割り当て４２ｄでスケジューリングされる。第１の割り当て４２ａのデータシンボルは第１のＵＥによって送信され、第２の割り当て４２ｂのデータシンボルは第２のＵＥによって送信される。第３の割り当て４２ｃのデータシンボルは第３のＵＥによって送信され、第４の割り当て４２ｄのデータシンボルは第４のＵＥによって送信される。複数のＵＥ（第１のＵＥおよび第２のＵＥ）はリソースブロックにおける別個のデータ割り当てを有すると見なされてよい、または、複数のＵＥ（第１のＵＥ〜第４のＵＥ）はリソースブロックペアにおける別個のデータ割り当てを有すると見なされてよい。第１のＵＥ〜第４のＵＥは、同じ周波数リソースの異なる時間割り当てでスケジューリングされると見なされてよい。後続のサブフレーム４０ｂは、さらなるＵＥ、例えば、「５」、「６」、「７」および「８」と標示される第５のＵＥ〜第８のＵＥをスケジューリングするために使用されてよい。
【００５７】
１ｍｓのサブフレーム時間長は、参照信号に対する２つの時間単位（シンボル）、例えば、シンボル３の位置における第１の参照シンボル３６ａ、およびシンボル１０の位置における第２の参照シンボル３６ｂを有する。いくつかの例では、第１の参照シンボル３６ａは、そのサブフレームまたは物理リソースブロックペアにおけるデータ割り当てを有するＵＥ全てからの多重化済み参照シンボルを含む。第２の参照シンボル３６ｂはまた、そのサブフレームまたは物理リソースブロックペアにおけるデータ割り当てを有するＵＥ全てからの多重化済み参照シンボルを含む。この場合、サブフレームまたは物理リソースブロックペアにおける全ての参照シンボルは、その物理リソースブロックペアにおけるデータを送信する複数のＵＥの全て、例えば、第１のＵＥ〜第４のＵＥからの多重化済み参照信号を含む。参照信号は、例えば、データ割り当て４２ａを有する第１のＵＥに対するシンボル１０における参照信号など、データシンボルが連続しない時間でＵＥによって送信されてよい。特定の時間では、１つのＵＥだけに対するデータは、物理リソースブロックにおいて送信される。
【００５８】
これによって、受信側は、チャネルにおける続く時間変化において高い精度を有することが可能になる。これは、特定のＵＥが、全時間長で、例えば、サブフレームの全時間長を超えてデータを送信しない時にも当てはまる。
【００５９】
さらなる例では、特定の参照シンボルは、サブフレーム内のデータを送信するＵＥの一部のみからの多重化済み参照信号を含む。例えば、第１の参照シンボル３６ａは、それぞれ、第１の割り当て４２ａおよび第２の割り当て４２ｂにおけるデータを送信する第１のＵＥおよび第２のＵＥのみからの多重化済み参照信号を含む。第２の参照シンボル３６ｂは、それぞれ、第３の割り当て４２ｃおよび第４の割り当て４２ｄにおけるデータを送信する第３のＵＥおよび第４のＵＥのみからの多重化済み参照信号を含む。この場合、サブフレームまたはリソースブロックペアは、複数のＵＥからのデータを含み、それぞれのＵＥは１つのシンボル位置のみにおける参照信号を送信する。よって、それぞれのＵＥは、サブフレームにおけるシンボル時間のみで参照信号を送信する、すなわち、サブフレームにおけるさらなる参照信号シンボル時間で送信しない。これによって、受信側は、ユーザデータシンボルの処理（復調）前のサブフレーム時間長において両方の参照信号を待つ必要がなくなる。例えば、参照信号は、ＵＥへのデータ割り当て４２ａ、４２ｂ、４２ｃ、４２ｄの前または後に直接挿入される。
【００６０】
いくつかの例では、ユーザデータシンボルの２つのブロックの間の参照シンボル３６ａ、３６ｂは、参照シンボルの前および後にユーザデータに割り当てられた少なくとも２つのユーザに対する参照信号を含む。
【００６１】
これらの例では、複数のＵＥは、スロットまたは物理リソースブロックにおけるデータシンボルの別個の時間割り当てがスケジューリングされる。参照信号は、そのスロットまたは物理リソースブロックにおける別個にスケジューリングされたＵＥによって送信される。このような参照信号は多重化される。多重化された参照信号は、そのスロットもしくは物理リソースブロック、または、サブフレームもしくは物理リソースブロックペアに対してスケジューリングされたＵＥのいくつかまたは全てに対する参照信号であってよい。
【００６２】
サブフレームという用語は、物理リソースブロックペアを指示するために使用される場合がある。代替的には、サブフレームは、サブフレーム時間間隔、および定められた周波数域（例えば、１２のサブキャリアの１つもしくは複数の倍数、または、１つもしくは複数の物理リソースブロック）を指示するために使用される場合がある。周波数域は、上述されるように、時間多重化されるＵＥのセットに割り当てられた周波数域であってよい。周波数域において、１つのＵＥのみに、特定の時間でデータシンボルが割り当てられるまたはこれを送信する。
【００６３】
本開示による物理リソースの割り当ては、物理時間および周波数リソースに基づく。態様は、物理リソースブロックまたは物理リソースブロックペアにおいて共有する複数のＵＥに関する。複数のＵＥは、１つの物理リソースブロックまたは物理リソースブロックペア（例えば、１２のサブキャリア）より大きい周波数域において送信することができる。言及される周波数域またはサブフレームは、他のＵＥの周波数多重化をもたらさない。よって、データシンボルに対する物理リソースの別個の時間割り当ては、限定された周波数域上での同じ物理リソースブロック、物理リソースブロックペア、またはサブフレームを共有するようなＵＥに対する別個の時間割り当てに言及する。
【００６４】
図５は、サブフレーム５０における物理リソースの割り当てのさらなる例を示す。この例では、データ割り当てにおける２つのシンボル（例えば、ＳＣ−ＦＤＭＡ）は同じＴＴＩに含まれる。よって、２つのデータシンボルのブロックは、ＵＥに対するＴＴＩとして割り当てまたはスケジューリングされてよい。例えば、サブフレーム５０は、第１の割り当て５２ａ、第２の割り当て５２ｂ、第３の割り当て５２ｃ、第４の割り当て５２ｄ、第５の割り当て５２ｅ、および第６の割り当て５２ｆを含む。それぞれの割り当て５２ａ、５２ｂ、５２ｃ、５２ｄ、５２ｅ、５２ｆは、セルにおける別個の第１のＵＥ〜第６のＵＥに対するものである。
【００６５】
そのため、それぞれのデータシンボルは、物理リソースの特定のまたは一意の時間割り当てを有する。いくつかの態様では、異なる時間リソースは、サブフレーム内で送信するそれぞれのＵＥに割り当てられる。例えば、１つまたは複数の物理リソースブロックペアに対応する周波数リソースは、このようなＵＥによって使用される。この物理リソースの割り当ては、とりわけ、通信ネットワークの（例えば、ｅＮｏｄｅＢとして実装される）基地局のサービングセルに対するものである。
【００６６】
上の例で説明されたように、それぞれの１ｍｓのサブフレームは、第１の参照シンボル３６ａおよび第２の参照シンボル３６ｂを含む。この例では、多重化された参照信号によるシンボルは、同じＵＥに関連付けられたデータシンボルの隣に必ずしも設置されるわけではない。参照シンボルは、複数のユーザからの参照信号を多重化するために使用される。ユーザデータの復調のために使用される参照シンボル３６ａ、３６ｂは、対応するデータ（例えば、ユーザデータ）の前または後に位置することができる。例えば、２つのデータシンボルの第１の割り当て５２ａは、任意の参照信号、例えば、第１の参照シンボル３６ａに、時間的に隣接していない。この場合、第１の割り当て５２ａは、第１の参照シンボル３６ａの前にスケジューリングされる。さらなる例では、第３の割り当て５２ｃは、第１の参照シンボル３６ａまたは第２の参照シンボル３６ｂに時間的に隣接しておらず、第１の参照シンボル３６ａの後にスケジューリングされる。よって、ＵＥは、（多重化されない）データシンボルの後および／または前に多重化されるべき参照信号を送信することができる。上述されるように、第１の参照シンボル３６ａおよび第２の参照シンボル３６ｂは、それぞれ、そのサブフレームにおいてスケジューリングされた全てのＵＥ、または、そのサブフレームにおいてスケジューリングされたＵＥのいくつか（一部）のみに対する参照信号を含有してよい。
【００６７】
いくつかの態様では、複数の参照シンボルは、ユーザデータシンボルに対する位置でのチャネル推定を改善するために、組み合わせまたは補間可能である。
【００６８】
この例では、ＵＥへの（すなわちＴＴＩにおける）１つまたは複数の割り当てに対するデータシンボルは時間的に互いに隣接していない。例えば、第２の割り当て５２ｂは第１の参照シンボル３６ａによって分割されることで、第２の割り当て５２ｂは第１の参照シンボル３６ａの時間的な前または後の両方になる。データシンボルの第２の割り当て５２ｂ（またはＴＴＩ）はシンボル２および４における。参照シンボル３６ａ、３６ｂは１ｍｓのサブフレームにおける従来の位置にある。いくつかの態様では、かかる分割されたデータ割り当て５２ｂ、５２ｅは、連続したデータ割り当て、例えば第３の割り当て５２ｃよりも、送信されたデータのレイテンシが大きい。第３の割り当て５２ｃは参照信号３６ａの後であるため、ｅＮｏｄｅＢはデータの復号を待つ必要はない。ｅＮｏｄｅＢは、シンボル３における参照信号３６ａが第１の割り当て５２ａにおけるデータを復号できる前に受信されるまで待つ。
【００６９】
図６はデータシンボルの代替的なマッピングを有するサブフレーム６０を示す。この例では、データ（例えば、ＳＣ−ＦＤＭＡ）シンボルには、図５における例と比較して、時間的に１つのシンボルがシフトされる。図５の例に関して、２つのデータシンボルは１サブフレームごとにＵＥへのＴＴＩまたはデータ割り当てにおいて送信される。図６の例では、１つのＵＥからの２つのデータシンボルは、時間的に互いに隣接して位置する。そのため、ＵＥに対するＴＴＩは参照信号を中心に分割されない。
【００７０】
第１〜第５の割り当て６２ａ、６２ｂ、６２ｃ、６２ｄ、６２ｅは、第１のサブフレーム６０ａにおいて送信される。第１の割り当て６２ａは、サブフレームの開始後、例えばシンボル１において開始する。参照シンボルは、サブフレーム内の従来の位置に、すなわち、シンボル３および１０に位置する。サブフレーム６０は、データ割り当てのどれもが、参照信号によって２つの非連続部分に分割されないように配置される。例えば、第２の割り当て６２ｂは、図５に説明されるように、第１の参照シンボル３６ａによって分割されない。そうではなく、第２の割り当て６２ｂは第１の参照シンボル３６ａに続く。
【００７１】
この例では、１つのＵＥのデータシンボルは、第１のサブフレーム６０ａ、および後続の第２のサブフレーム６０ｂ、または物理リソースブロックペアの間で分割可能である。この例では、第６の割り当て６２ｆのデータシンボルは、サブフレーム６０ａ、６０ｂの間で分割される。サブフレーム６０ａ、６０ｂは、サブフレームのペア、または隣接するリソースブロックペアと称される場合がある。よって、データシンボルの別個の物理リソース割り当ては、別のユーザ機器に対する通信のサブフレームのペアにおける別個の時間割り当てである。サブフレームのペアは、サブフレームのペアの時間周期、例えば、２ｍｓに言及する。この例は、１ｍｓのＬＴＥリリース８サブフレームに関して説明される。参照信号は、上のいずれかの例において説明されたように多重化される。
【００７２】
図７は、サブフレーム７０へのデータシンボルのマッピングのさらなる例を示す。この例では、１つのデータシンボルのみが同じＴＴＩに含まれる。それぞれのＵＥはサブフレームまたは物理リソースブロックペアごとに単一のデータシンボルが割り当てられる。例えば、第１のＵＥに対する第１のデータ割り当て７２ａは、サブフレームにおいて１つのシンボルのみ有する。この例では、１２のＵＥは、サブフレーム時間周期および同じ物理周波数リソースにおけるデータに対する別個の時間割り当てを有する。第１のＵＥはさらに、サブフレームにおける１つまたは複数の参照信号シンボル３６を送信する。複数のＵＥの参照信号は同じ参照シンボルに多重化される。参照信号は、上のいずれかの例において説明されたように多重化され、例えば、サブフレームにおいて送信する全てのＵＥは全ての参照信号シンボルにおいて、または１つの参照信号シンボルのみにおいて送信する。そのため、それぞれの参照信号シンボルは、そのサブフレームまたは物理リソースブロックペアにおけるデータを送信するＵＥからの参照信号の全てまたは一部の多重送信方式である。
【００７３】
説明された例のいずれかにおいて、参照信号は同じシンボルにコード多重化される。例えば、参照信号は、巡回シフト（およびＯＣＣ）を使用して多重化される。
【００７４】
１２の異なるＵＥまでが、例えば、３ＧＰＰ  ＴＳ  ３６．２１１、「Ｐｈｙｓｉｃａｌ  Ｃｈａｎｎｅｌｓ  ａｎｄ  Ｍｏｄｕｌａｔｉｏｎ」技術仕様、第３世代パートナーシッププロジェクト、仕様グループ無線アクセスネットワーク、拡張ユニバーサル地上無線アクセス（Ｅ−ＵＴＲＡ）、Ｖ１２．５．０．、ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／において、例えば、ＬＴＥリリース８の仕様内で定められるように、巡回シフトを使用することによって同じシンボルにコード多重化可能である。巡回シフトは、参照信号の周波数領域の線形位相回転と見なされてよい。
【００７５】
ＵＥは、同じＳＣ−ＦＤＭＡシンボル内の参照信号の異なる時間巡回シフトを使用するように構成されてよい。この巡回シフトは、参照信号の既知の巡回時間遅延に相当する。この巡回時間遅延が無線チャネルの遅延拡散より大きい場合、受信側は種々のユーザのチャネルを別個に推定することができる。
【００７６】
代替的にはまたはさらに、同じスロット、サブフレーム、物理リソースブロック、または物理リソースブロックペアにおいて送信する複数のＵＥからの参照信号３６は、周波数多重化されてよい。例えば、任意の例の参照信号３６は、周波数コム（櫛）を使用して多重化可能である。参照信号は、所定の周波数またはサブキャリア間隔で繰り返すと見なされる場合がある。例えば、６の「繰返し因数」は、ＵＥからの参照信号がどの６番目のキャリアにおいても送信されるように使用可能である。いくつかの例では、例えば、無線チャネルコヒーレンス帯域幅に適切である場合、ＬＴＥリリース８のセル固有参照信号（ＣＲＳ）設計が使用される。いくつかの例では、周波数多重化はデータ割り当てによって使用されるのと同じ周波数リソース上で行われる。複数の周波数多重化復調用参照信号は、同時に、例えば、サブフレームにおけるシンボル３および／またはシンボル１０で送信される。
【００７７】
いくつかの態様では、複数の参照信号が異なる周波数コムによって多重化される場合、巡回シフトによって多重化される参照信号の数は同じ量で減少する。いくつかの例では、周波数コムおよび巡回シフトは組み合わせ可能であり、異なる巡回シフトおよびコムに対応する異なる参照信号の間の干渉が低いように構成される。
【００７８】
いくつかの態様では、複数の復調用参照信号は、コード多重によってまたは周波数多重化によって多重化される。複数のＵＥのセットの参照信号は空間多重化によって多重化されない。このＵＥのセットの参照信号は、コード多重または周波数多重化によって多重化される。このＵＥのセットに対して、それぞれのＵＥはデータシンボルの別個の時間割り当てを有する。データシンボルの別個の時間割り当ては、そのＵＥのセットによってのみ使用される周波数域（例えば、リソースブロック）に対するものである。参照信号の周波数多重化は、ＵＥのセットによって使用される、周波数域、またはリソースブロック、またはリソースブロックペア内で行われる。いくつかの態様では、ＵＥのセットのＵＥは、１つまたは複数のさらなるＵＥによって空間多重化および／または周波数多重化されてよい（またはされなくよい）。本開示の態様は限定された周波数域（例えば、リソースブロック周波数域）におけるＵＥのセット、および、そのセットにおける他のＵＥによって空間多重化されないＵＥのセットに該当する。
【００７９】
いくつかの態様では、参照信号は、コード多重（例えば、巡回シフト／ＯＣＣ）、および（例えば、周波数コムを使用する）周波数多重化の両方を使用して多重化される。ＵＥは、異なるコード（例えば、巡回シフト）および周波数（例えば、コム）に対応する異なる参照信号の間の干渉が低いように、１つまたは複数のパラメータで構成される。
【００８０】
種々のＵＥからの多重化された参照信号は、サブフレームの同じ基本時間単位で送信されると見なされてよい。この場合、割り当てられた時間基本単位を共有するリソースエレメントは、複数の参照シンボルに使用される。多重化された参照シンボルは、リソースブロックまたはリソースブロックペア内のデータも送信しているＵＥからのものである。いくつかの例では、リソースブロックまたはリソースブロックペアは、時間周波数物理リソース、例えば、時間領域における７または１４のシンボルおよび周波数領域における１２のサブキャリアに対応する。
【００８１】
いくつかの態様では、参照信号は、データシンボルと共に物理リソースにおいて送信される。そのため、参照信号は、ＵＥから送信されるデータシンボルと同じリソースブロックもしくはサブフレーム、または時間隣接リソースブロックもしくはサブフレームにおいて送信される。例えば、参照信号による周波数帯域幅（すなわち、使用されるサブキャリア）は、ＵＥからのデータと同じである。いくつかの態様では、参照信号は、データシンボルと共にまたはこれに関連付けられた物理リソースにおいて常に送信される。
【００８２】
上の例では、参照シンボルは、スロットまたはリソースブロックの中央シンボル（例えば、ＳＣ−ＦＤＭＡシンボル）に設置される。そのため、参照シンボルは、スロットの時間の中心にある。代替的には、参照シンボルは、本開示の原理を変更することなく、異なる位置に挿入されてよい。スロットの中間での参照信号の使用は、基地局（例えば、ｅＮｏｄｅＢ）が、レガシリリース８のＵＥと、本開示の方法に従って動作するＵＥとの混合の干渉計測に対する参照シンボルを使用できるようにする。レガシＵＥによっても使用されるような、中央シンボルとしての参照信号の位置は、参照シンボルが最悪の場合の干渉シナリオを表すことを意味する。
【００８３】
ＴＴＩの長さが短縮される（すなわち、スロットまたはサブフレームの長さに満たない）時、それぞれのＴＴＩで送信される１つまたは複数の参照信号は、比較的増加したオーバーヘッド、およびそれに応じたデータレートの減少を表す。例えば、２つのシンボルのＴＴＩにおいて、ＬＴＥリリース８において使用される１４のシンボル（１２データシンボル、２参照シンボル）のうちの１２のシンボルと比較して、シンボルの半分だけがデータ送信に使用可能である（１データシンボルおよび１参照シンボル）。さらに、１つのシンボルのＴＴＩの場合、シンボルが参照信号またはデータの、両方ではなくどちらかに対して使用できるため、現在のアップリンク（ＳＣ−ＦＤＭＡ）構造は使用できない。多重化されないデータシンボルに対する参照シンボルの多重化によって、オーバーヘッドは低減されるまたはデータレートは増加する。種々のＵＥからの参照信号の多重化は、そのデータ割り当てでの、サブフレーム内のＴＴＩまたは送信の長さが短縮されても、同じ数の参照シンボルがそれぞれのＵＥによって使用可能になると見なされてもよい。いくつかの例では、ＴＴＩは、データシンボルが共同でチャネルコード化されるように、最初に送信されたデータシンボルから最後に送信されたデータシンボルまでの時間間隔と見なされる。これは、参照シンボル、例えば、関連のデータシンボルと時間的に連続しない参照信号シンボルを除くことができる。参照信号（ＤＭ−ＲＳ）は、依然、ＵＥによって送信され、かつデータに関連付けられ、本開示の例によって、参照信号送信タイミングの変更なく、レイテンシが低減する。
【００８４】
図８は、本開示のサブフレーム８０のさらなる例を示す。図７において上述されるように、リソース割り当てによって、ＵＥは、サブフレーム８０における参照信号３６およびデータシンボルを送信し、この場合、参照信号（データシンボルではない）は多重化される。サブフレームにおけるそれぞれのＵＥに対するデータ割り当ては１つのシンボル周期であり、例えば、第１のデータ割り当て８２ａは１つのシンボルの長さ（ＴＴＩ）を有する。この例では、ＵＥに対して割り当てられた参照シンボル３６は、特定のＵＥからのデータの前である（すなわち、この前に送信される）。
【００８５】
例えば、第３のＵＥに対する第３のデータ割り当て８２ｃについて、最も近い参照信号は、第３のデータ割り当て８２ｃの直後の第１の参照シンボル３６ａである。この例では、参照シンボル３６ａは第３のＵＥによって使用されない。その代わりに、第３のＵＥは、より前のフレームより先行する参照シンボル（図示せず）を使用する。第４のデータ割り当て８２ｄについて、先行する参照シンボル３６ａは参照信号の送信に使用される。これはまた、時間的に最も近い参照シンボルである。シンボル４〜９（第４のＵＥ〜第９のＵＥ）に対するデータ割り当てを有するＵＥからの参照信号は、単一の参照信号３６ａに多重化される。後続のサブフレームのシンボル１１〜シンボル２（第１０のＵＥ〜第１４のＵＥ）に対するデータ割り当てを有するＵＥからの参照信号は、さらなる単一の参照信号３６ｂに多重化される。該データ割り当ておよび関連の参照信号は、サブフレームのペア、２つのリソースブロック、または２つの物理リソースブロックペア上で配置されると見なされてよい。
【００８６】
データシンボルの前に参照シンボルが送信される方法について、チャネル推定は常に利用可能となる。よって、チャネル推定が得られる前に追加の待ち時間はない。
【００８７】
これは、参照シンボルがデータシンボルの前または後であるかどうかに関係なく、データシンボルに（時間的に）最も近い参照シンボルを使用するＵＥの、上の例のどれにおいても使用可能である代替策とは対照的である。いくつかの例では、ＵＥは、ユーザデータに近いチャネル推定が利用可能であるように、参照信号シンボル割り当て全てにおける参照信号を送信できる。また、ＵＥは、ユーザデータの可能な受信を受信および処理するように準備される。
【００８８】
参照信号は、スロットまたはサブフレーム周期でいくつかのシンボル（例えば、ＳＣ−ＦＤＭシンボル）において送信可能である。参照信号に使用されるシンボルの数が増加する時、より多くのユーザは、より大きい参照信号オーバーヘッドを費やして多重化可能である。
【００８９】
データに対して最も近い参照シンボル割り当ての使用によって、とりわけ、フェージングチャネルにおけるチャネル推定の品質が高くなる。低速のＵＥについて、フェージングは限定のものでなくてよく、データの前の参照シンボルを送信することは効果的に利用可能である。いくつかの例では、参照信号の帯域幅、および物理アップリンクチャネル（例えば、ＰＵＳＣＨ）におけるデータ送信の帯域幅は同じではない。ＵＥは、例えば、ＰＵＳＣＨにおいて、データを送信するように（動的に）構成される前に、参照信号を送信するように構成されてよい。このような場合に、参照信号は、実際のデータ（例えば、ＰＵＳＣＨ）送信と比較して異なる（例えばより大きい）帯域幅をカバーすることができる。
【００９０】
ＭＵ−ＭＩＭＯにおいて、いくつかのＵＥは同じ時間および周波数リソースを共有する。この応用の例は、ＭＵ−ＭＩＭＯ、例えば、アップリンクＭＵ−ＭＩＭＯに適用可能である。この場合、複数のユーザ機器は空間多重化される（空間分割多元接続）。
【００９１】
説明される例のいずれかについて、複数のＵＥは、時間／周波数リソースの同じシンボル内で送信可能である。これは、（例えば、基地局における）いくつかの受信アンテナ、復調におけるマルチユーザ検出が可能な受信側、および、復調におけるユーザ信号を分けるのに十分豊富である無線チャネルを必要とする。この復調の範囲内で、それぞれのユーザに対する無線チャネルは推定されなければならない。参照信号は、ユーザの時間多重化について先述されるのと同様のやり方で、ＭＵ−ＭＩＭＯによるユーザの空間多重化を使用する時のサブフレームでの特定の時間におけるシンボル（例えば、ＳＣ−ＦＤＭシンボル）で多重化される。ここで、空間多重化されたユーザは、異なる参照信号に対して異なる巡回シフトまたは周波数コムを使用する場合がある。
【００９２】
ＵＬのＭＵ−ＭＩＭＯの実施形態において、ユーザデータは、同じＳＣ−ＦＤＭＡシンボルにおいて参照信号を送信する送信側の一部から送信される。
【００９３】
いくつかの例では、通信ネットワークにおけるユーザ機器の通信は、周波数分割複信（ＦＤＤ）に基づく。本開示の例は時間分割複信の通信ネットワークで使用されてもよい。
【００９４】
いくつかの例では、参照信号は、アップリンク物理チャネルのコヒーレント復調に対するチャネル推定について基地局によって使用される。復調用参照信号は、例えば、ＰＵＳＣＨまたはＰＵＣＣＨに対して使用されるチャネルでのみ送信可能である。参照信号は、対応する物理チャネルと少なくとも同じ周波数域に及ぶ。いくつかの態様では、復調用参照信号は、復調用参照信号がデータシンボルを復調するために使用される場合、データシンボルと関連付けられると見なされてよい。よって、本開示の例は、関連の復調用参照信号およびデータシンボルに関する。関連の参照信号およびデータは同じＵＥから送信される。関連の復調用参照信号およびデータシンボルは、隣接するシンボル周期で送信されてよい、または、復調用参照信号およびデータシンボルは隣接しないシンボル周期におけるものであってよい。関連の復調用参照信号およびデータシンボルはサブフレーム時間周期の同じスロットにおけるものであってよい。いくつかの例では、関連の復調用参照信号およびデータシンボルは、２つのサブフレームの周期にわたって送信される。
【００９５】
例は、同じ基地局と通信しているＵＥに適用可能である。この場合、参照信号を多重化するＵＥは、参照信号およびデータシンボルを同じ基地局（例えば、ｅＮＢ）に送信している。いくつかの例では、アップリンクおよびダウンリンクに使用される基地局は異なっている。この例では、（ダウンリンクにおける）ユーザ機器にシグナリングするために使用される基地局は、アップリンクにおいて信号を受信する基地局と異なっている。この例は、第１の基地局が第２の基地局よりより良いダウンリンクを有する場合実装可能であるが、アップリンクは（第１の基地局と比較して）第２の基地局がより良い。
【００９６】
本開示の例は、（例えば、ＴＴＩの長さを短縮することによって）データの移送時間および制御シグナリングの短縮、および／または、制御シグナリングの処理時間（例えば、ＵＥがグラント信号を処理するのにかかる時間）の短縮によって、パケットレイテンシの低減がもたらされる。
【００９７】
図９は、本明細書に説明される実施形態の例のいくつかを行うことができる、基地局またはｅＮＢ４０１のノード構成の例を示す。基地局４０１は、通信データ、命令、および／またはメッセージを受信および／または送信するように構成可能である無線回路または通信ポート４１０を備えることができる。無線回路または通信ポート４１０が、任意の数の送受信、受信、および／もしくは送信ユニットまたは回路として構成可能であることは理解されるべきである。無線回路または通信ポート４１０が当技術分野で既知である任意の入力または出力通信ポートの形態であってよいことは、さらに理解されるべきである。無線回路または通信ポート４１０は、ＲＦ回路およびベースバンド処理回路（図示せず）を含むことができる。
【００９８】
基地局４０１は、本開示の任意の例に従って、ＵＥを構成するためのスケジューリングを行うように構成可能である処理ユニットまたは回路４２０を備えることもできる。処理回路４２０は、任意の適したタイプの計算ユニット、例えば、マイクロプロセッサ、デジタル信号プロセッサ（ＤＳＰ）、フィールドプログラマブルゲートアレイ（ＦＰＧＡ）、特定用途向け集積回路（ＡＳＩＣ）、または、任意の他の形態の回路であってよい。基地局４０１は、任意の適したタイプのコンピュータ可読メモリとすることができ、かつ、揮発性および／または不揮発性タイプのものであってよい、メモリユニットまたは回路４３０をさらに含むことができる。メモリ４３０は、受信された、送信された、および／または計測されたデータ、デバイスパラメータ、通信優先度、および／または実行可能プログラム命令を記憶するように構成可能である。いくつかの例では、基地局４０１は、１つまたは複数のさらなる基地局および／もしくはコアネットワークと通信するためのネットワークインターフェース４４０をさらに備える。
【００９９】
図１０は、説明された例の１つまたは複数を行うことができるＵＥまたはワイヤレス端末５０５のノード構成の例を示す。ワイヤレス端末５０５は、通信ネットワークと通信可能である、ユーザ機器、機械対機械タイプのデバイス、または任意の他のデバイスであってよい。ワイヤレス端末５０５は、通信データ、命令、および／またはメッセージを受信するおよび／または送信するように構成可能である無線回路または通信ポート５１０を備えることができる。無線回路または通信ポート５１０が、任意の数の送受信、受信、および／または送信ユニットもしくは回路として構成されてよいことは、理解されるべきである。無線回路または通信ポート５１０が当技術分野で既知である任意の入力または出力通信ポートの形態であってよいことは、さらに理解されるべきである。無線回路または通信ポート５１０は、ＲＦ回路およびベースバンド処理回路（図示せず）を含むことができる。
【０１００】
ワイヤレス端末５０５は、例えば、本開示の任意の例を構成するためにシグナリングを受信するために、ダウンリンクブロードキャスト送信を得るように構成可能である処理ユニットまたは回路５２０を備えることもできる。処理回路またはユニットは、任意の例に従って、データシンボルおよび多重化された参照信号を送信するように構成可能である。処理回路は、通信回路を介して、別個のシンボルにおいて多重化された参照信号およびユーザデータを含むサブフレームを送信するように構成される。デバイスは、上述されるように、別のやり方で構成されてもよい。
【０１０１】
処理回路５２０は、任意の適したタイプの計算ユニット、例えば、マイクロプロセッサ、デジタル信号プロセッサ（ＤＳＰ）、フィールドプログラマブルゲートアレイ（ＦＰＧＡ）、特定用途向け集積回路（ＡＳＩＣ）、または、任意の他の形態の回路であってよい。ワイヤレス端末５０５は、任意の適したタイプのコンピュータ可読メモリとすることができ、かつ、揮発性および／または不揮発性タイプのものであってよい、メモリユニットまたは回路５３０をさらに含むことができる。メモリ５３０は、受信された、送信された、および／または計測されたデータ、デバイスパラメータ、通信優先度、および／または実行可能プログラム命令を記憶するように構成可能である。
【０１０２】
図１１は、参照信号を送信するために、本明細書に説明されるようなワイヤレス端末１０５；５０５によって取られ得る動作の例を示すフロー図１１０である。これらの動作が、順番に行われる必要はなく、いずれかが同時に行われてよいことは、理解されるべきである。さらにまた、動作の全てが行われる必要がないことは理解されるべきである。動作の例は任意の順番でおよび任意の組み合わせで行われてよい。
【０１０３】
１１１において、ＵＥは、参照信号についての多重化情報を決定する。多重化情報はネットワークからのシグナリングで受信されてよい、または、内部に記憶された情報または１つもしくは複数の計測されたパラメータに基づいてＵＥによって決定されてよい。多重化情報は、使用するためのコード多重（例えば、巡回シフトおよび／またはＯＣＣ）、および／または周波数多重化構成の情報であってよい。かかるリソースは、ｅＮｏｄｅＢまたは他のネットワークエンティティによってスケジューリングされる。いくつかの例では、シグナリングは、ＭＵ−ＭＩＭＯにおける巡回シフトに使用される既知のシグナリングと同様である。いくつかの態様では、ＵＥは、基地局からのデータの送信についてのスケジューリングを受信するように構成される。受信されたスケジューリングは、同じ周波数リソースを使用する他のＵＥのデータシンボル送信へのデータシンボル送信の別個の時間割り当てに対するものであり、ここで、ＵＥは多重化された参照信号を送信する。
【０１０４】
１１３において、ＵＥは参照信号を送信する。参照信号は、決定された時間／周波数リソースにおいて送信される。送信された参照信号は他のＵＥからの参照信号と多重化される。これによって、受信する基地局は、それぞれのＵＥからの参照信号を切り分けかつ独立して処理することが可能になる。
【０１０５】
１１５では、ＵＥはデータシンボルを送信する。データシンボルの送信は、データシンボルの復調に使用される参照信号の前および／または後に行われる。データシンボルは、同じ周波数および同じ受信アンテナポートを使用する他のＵＥに対してスケジューリングされた時間リソースとは別個であるスケジューリング済み時間リソースで送信される。
【０１０６】
図１２は、参照信号およびデータシンボルのアップリンク送信をスケジューリングするために、本明細書に説明されるような基地局１０３、４０１によって取られ得る動作の例を示すフロー図１２０である。これらの動作が、順番に行われる必要はなく、いずれかが同時に行われてよいことは、理解されるべきである。さらにまた、動作の全てが行われる必要がないことは理解されるべきである。動作の例は任意の順番でおよび任意の組み合わせで行われてよい。
【０１０７】
１２１において、基地局は、第１のＵＥから第１の参照信号を受信する。同時に、１２３では、基地局は、多重化された第２の参照信号を第２のＵＥから受信する。基地局は、例えば、コード多重分離および／または周波数多重分離によって、第１の参照信号および第２の参照信号を多重分離する。
【０１０８】
１２５において、基地局は第１のデータシンボルを受信する。第１のデータシンボルは第１のＵＥに関連付けられたサブフレームの時間割り当てで受信される。
【０１０９】
１２７において、基地局は第２のデータシンボルを受信する。第２のデータシンボルは、第２のＵＥに関連付けられたサブフレームの別個の時間割り当てで受信される。第２のデータシンボルは、第１のデータシンボルの受信が終了した後のみ受信される。
【０１１０】
１２９では、基地局は受信された参照信号およびデータシンボルを処理する。例えば、基地局は、関連の受信済み参照信号に基づいて第１のデータシンボルおよび第２のデータシンボルを復調する。該復調には参照信号から導出されたチャネル推定を使用できる。
【０１１１】
さらなる態様では、基地局は、第１のＵＥおよび第２のＵＥの多重化された参照信号をもたらすために、多重化情報を第１のＵＥおよび第２のＵＥに送信する。送信された情報は、基地局によって分けられる多重化された参照信号をもたらす。
【０１１２】
さらなる態様では、基地局は、基地局によってサーブされる複数のＵＥに対するスケジューリングを決定する。基地局は、任意の例に従ったスケジューリングを決定するが、例えば、複数のＵＥが復調用参照信号を送信するための共通の時間割り当て、および、それぞれのＵＥが、関連のデータを別個に送信するための、それぞれのサブフレーム（または複数のサブフレーム）における別個の時間割り当てを決定する。基地局は、第１のＵＥデータおよび第２のＵＥデータ、ならびに／または参照信号割り当てをスケジューリングするために、対応するスケジューリング情報を第１のＵＥおよび第２のＵＥに送信するように構成される。
【０１１３】
本開示は、当然ながら、本開示の本質的特性から逸脱することなく、本明細書に具体的に示されるもの以外の他のやり方で実行されてよい。本実施形態は、あらゆる点で例示的なものであり、制限的なものではないと見なされるべきである。
【０１１４】
本明細書における実施形態が、一般的に、ワイヤレス通信ネットワークにおいて通信デバイスによって実施される方法を含むことを、当業者は理解するであろう。方法は、ＬＴＥネットワークにおけるＰＵＳＣＨ上でデータ（例えば、ユーザデータ）と共に参照信号（例えば、ＤＭ−ＲＳ）を送信するためのものである。方法は、例えば、同じシンボルにおいて（すなわち、同じ時間および周波数物理リソースにおいて）送信する他のＵＥからの参照信号に直交する、多重化されるのに適している参照信号を生成しかつ送信することを含むことができる。
【０１１５】
本明細書における１つまたは複数の実施形態はまた、対応する通信デバイス、コンピュータプログラム、およびコンピュータプログラム製品を含む。
【０１１６】
通信デバイスは、例えば、ワイヤレス通信を送りかつ受信するように構成される通信回路、および、通信回路に通信可能に連結される処理回路を含むことができる。処理回路は、データシンボルの割り当てと参照信号の構成とを決定するように、および／またはデータシンボルおよび参照信号を送信するように構成可能である。デバイスは上述されるように構成可能である。コンピュータプログラムは、デバイスの少なくとも１つのプロセッサによって実行される時、デバイスに、本明細書における方法のいずれかを実行させる命令を含む。
【０１１７】
キャリアは上記のコンピュータプログラムを含有し、該キャリアは、電子信号、光信号、無線信号、またはコンピュータ可読記憶媒体のうちの１つである。
【０１１８】
本開示の例によってレイテンシが低減されることによる、多数の実装形態は、利益を与えることができる。例えば、態様は、感知される体感品質を高めることができ、その例には、ゲーム、例えば、ＶｏＬＴＥ／ＯＴＴ  ＶｏＩＰといったリアルタイムアプリケーション、および、マルチパーティビデオ会議がある。遅延クリティカルであるさらなるアプリケーションは、本開示の態様、例えば、車両のリモート制御／運転、例えばスマートガラスにおける拡張現実アプリケーション、または、低いレイテンシを必要とする特定機械通信を利用することもできる。
【０１１９】
データ移送の低減したレイテンシが、より高いレイヤ制御シグナリングのより速い移送によって、呼セットアップ／ベアラセットアップのようなより速い無線制御プレーン手順を間接的に与えることができることも、留意されるべきである。
【０１２０】
サブフレームへのいずれの言及も、例えば１ｍｓといった、サブフレームの時間周期に言及することができる。サブフレームへの言及は、例えば、リソースブロックまたはリソースブロックペアの周波数リソースといった、サブフレームの周波数リソースの一部のみに言及する場合がある。かかる周波数リソースは、セルによってサーブされるＵＥのセット、いくつかの例では、セルによってサーブされるＵＥの一部によって共有される。さらに、種々の周波数リソースを使用して動作するＵＥは、本明細書における開示に従って動作するように定められるＵＥのセットの一部分ではない。
【０１２１】
本開示の態様は、ダウンリンクおよび／またはデバイス間送信に、さらにまた、アップリンクに対して適用可能である。例えば、ＵＥから基地局までのアップリンクへのいずれの言及も、反転させて、１つまたは複数の基地局からＵＥまでのダウンリンクに言及することができる。例えば、アップリンクではなくダウンリンクに対する低いＰＡＰＲ、および／またはデバイス間送信を提供する態様は、説明された単一キャリアを利用することができる。
【０１２２】
本開示の態様は、ＳＣ−ＦＤＭＡに適用可能であるとして説明されている。代替的には、任意の例は、直交周波数分割多元接続（ＯＦＤＭＡ）で使用するのに適用可能である。
【図１】
2020074536.tif 000003
【図２】
2020074536.tif 000004
【図３】
2020074536.tif 000005
【図４】
2020074536.tif 000006
【図５】
2020074536.tif 000007
【図６】
2020074536.tif 000008
【図７】
2020074536.tif 000009
【図８】
2020074536.tif 000010
【図９】
2020074536.tif 000011
【図１０】
2020074536.tif 000012
【図１１】
2020074536.tif 000013
【図１２】
2020074536.tif 000014
【外国語明細書】
2020074536000001.pdf